(57)【要約】【課題】ノズル部の切断が容易で、しかも誤って切断・開封されて液漏れの生じることのない、詰替え用袋を提供することを目的とする。【解決手段】袋本体に内容物を密封して収納するための詰替え用袋であって、袋本体から突出した、両側シール部と注出流路とを有するノズル部を備え、該両側シール部の縁部に設けた切れ込み部を起点として切断誘導線に沿って切断することにより注出口を形成可能とした詰替え用袋において、該切れ込み部の先端と該切断誘導線の始点とを不連続に形成すると共に、該不連続の領域内に該両側シール部を表裏に貫通する線状切抜き部を形成してなり、該線状切抜き部が、一方端が該切断誘導線の始点と連続した位置にあり、他方端が該切れ込み部の先端と該切断誘導線の始点とを結ぶ仮想ライン上であって該切れ込み部の先端とは連続しない位置にあるものである、詰替え用袋。【選択図】図２
2008150073.tif 000002
【特許請求の範囲】
【請求項１】
可撓性の積層樹脂フィルムを貼り合わせて形成した袋本体に内容物を密封して収納し、両側シール部と注出流路とを有するノズル部を袋本体から突出して備え、該両側シール部の少なくとも一方の縁部に設けた切れ込み部を起点として、該ノズル部を横断する切断誘導線に沿って切断することにより注出口を形成可能とした詰替え用袋であって、
該切れ込み部の先端と該切断誘導線の始点とを不連続に形成すると共に、
該不連続の領域内に該両側シール部を表裏に貫通する線状切抜き部を形成してなり、
該線状切抜き部が、一方端は該切断誘導線の始点と連続した位置にあり、他方端は該切れ込み部の先端と該切断誘導線の始点とを結ぶ仮想ライン上であって該切れ込み部の先端と近接するが連続しない位置にある詰替え用袋。
【請求項２】
前記切断誘導線が内容物収納部方向に膨らんだ円弧状である請求項１に記載の詰替え用袋。
【請求項３】
前記線状切抜き部が、直線状である請求項１又は２に記載の詰替え用袋。
【請求項４】
前記線状切抜き部が、円弧状である請求項１又は２に記載の詰替え用袋。
【発明の詳細な説明】
【技術分野】
【０００１】
本発明は、可撓性の積層樹脂フィルムを貼り合わせて形成した袋本体に内容物を密封して収納するための詰替え用袋に関する。
【背景技術】
【０００２】
可撓性の積層樹脂フィルムを貼り合わせて形成された袋本体の上部端縁部の一部に注出流路を有するノズル部を設けた可撓性の袋は、液体、粒体、粉粒体などの流動性を有する内容物を密封して収納するための袋として採用され、内容物を他の容器に移し替えて使用する詰替え用の袋は、廃棄物減量の目的に合致するものとして、多く用いられる傾向にある。
【０００３】
この詰替え用袋においては、２枚のフィルムの両側シール部とその間に形成した内容物注出流路とを有するノズル部を半切れ線等により形成した切断誘導線で切断して注出口を形成する形式が採られており、更に、切断を容易にするため、切断の起点となる切り込み部を設けている。
しかし、このような切り込み部の存在は、小売販売の店頭等において、切り込み部が何かに引掛かったり、衝撃を受けるなどして、誤って開封され、持ち帰り時に液漏れが発生する場合がある。
【０００４】
この誤開封を防止するため、シール部の切り込み部の先端とは不連続に切断誘導線を形成すると共に、切断誘導線の切り込み部の先端近傍部分における向きを、切り込み部に加わる力とは異なるように形成した袋（特許文献１参照）や、切断誘導線を注出流路に沿って斜め上方に延接させ、屈曲部で方向を変えて、袋本体の下辺と平行で袋の外方に向けてノズル部を横断する方向に延接した袋（特許文献２参照）が提案されている。
しかしながら、特許文献１の袋は、誤開封を防ぐ効果は十分であるが、通常レーザー等によるハーフカットで形成される切断誘導線のみでは切断の開始が容易ではなく、更に、不連続な領域での抵抗で切断誘導線とは異なる方向に切断される虞もある。一方、特許文献１の袋は、ノズル部を切断して注出口を形成するまでに２度も切断方向を変えなければならないため、切断に手間がかかり、しかも、切断誘導線の形状が複雑であるために、加工が困難である。
【０００５】
【特許文献１】特開２００３−２７６７４４号公報
【特許文献２】特開２００５−１４５５０２号公報
【発明の開示】
【発明が解決しようとする課題】
【０００６】
本発明は、上記背景技術の問題点に鑑み、ノズル部の切断が容易で、しかも誤って切断・開封されて液漏れの生じることのない、詰替え用袋を提供することを目的とする。
【課題を解決するための手段】
【０００７】
本発明者らは、シール部における切れ込み部の先端と切断誘導線の始点とを不連続に形成すると共に、その不連続領域に切断誘導線の始点とは連続する切れ込み部の先端とは連続しない線状切抜き部を形成した詰替え用袋とすることにより、その課題を解決しうることを着想した。
即ち本発明は、
可撓性の積層樹脂フィルムを貼り合わせて形成した袋本体に内容物を密封して収納するための詰替え用袋であって、袋本体から突出した、両側シール部と注出流路とを有するノズル部を備え、該両側シール部の少なくとも一方の縁部に設けた切れ込み部を起点として、該ノズル部を横断する切断誘導線に沿って切断することにより注出口を形成可能とした詰替え用袋において、
該切れ込み部の先端と該切断誘導線の始点とを不連続に形成すると共に、
該不連続の領域内に該両側シール部を表裏に貫通する線状切抜き部を形成してなり、
該線状切抜き部が、一方端が該切断誘導線の始点と連続した位置にあり、他方端が該切れ込み部の先端と該切断誘導線の始点とを結ぶ仮想ライン上であって該切れ込み部の先端とは近接するが連続しない位置にあるものである、
詰替え用袋である。
【発明の効果】
【０００８】
本発明によれば、切れ込み部と切断誘導線とが不連続であるので、切れ込み部に多少の力が加えられても直ちに切断誘導線での切断が開始されることがないので、誤開封が防止され、しかも、切れ込み部から意図的に力を加えて線状切抜き部まで切断すると、線状切抜き部は切断誘導線に連続しているため、切断誘導線でのノズル部の切断を容易に行うことができる。
更に、切断誘導線を円弧状とし、切れ込み部の先端と切断誘導線の始点とを結ぶ仮想ライン上に存在しない形に形成することにより、切り込み部から切り抜き部に向かう力が加えられても、切断誘導線に入る段階で抵抗が生じるため、切断誘導線で容易に切断することがなく、更に確実に、誤開封を防ぐことができる。
【発明を実施するための最良の形態】
【０００９】
以下、本発明の詰替え用袋を、図を参照して説明する。
図１は、内容物を収納した状態における本発明の詰替え用袋の１実施例を示す正面図である。
図１に示す如く、詰替え用袋１は、可撓性の積層樹脂からなる２枚の胴部フィルム２、３と、可撓性の積層樹脂からなる１枚の底部フィルム４とからなり、胴部フィルム２、３の下縁部と底部フィルム４の周縁部とを熱融着、超音波融着等により接合してボトムシール部５を形成するとともに、胴部フィルム２、３の両側縁部と上縁部とを互いに熱融着等により接合してサイドシール部６とトップシール部７を形成し、それらのシール部によって囲まれる内容物収容部８を形成したものである。尚、詰替え用袋１にあっては、上述のフィルム接合過程の最終段階前、例えば胴部フィルム２、３のトップシール部７の接合前段階で、内容物収容部８に内容物を充填する。
【００１０】
詰替え用袋１においては、袋の上角部を、両側シール部、即ち、一方のサイドシール部の一部である下シール部６'とトップシール部の一部である上シール部７'とその間に形成した注出流路９とを有するノズル部１０としており、使用する際には、該ノズル部１０を切断誘導線１１で切断することにより注出口を形成する。
【００１１】
図２は、本発明の詰替え用袋１の１実施例のノズル部１０を拡大して示す正面図であり、図３は他の実施例のノズル部１０を拡大して示す正面図である。
図２及び図３に示す如く、注出流路形成部の上シール部７'の縁部に切れ込み部１２を設け、上シール部７'の領域内を始点とし下シール部６'の方向にノズル部を横断する切断誘導線１１を設けているが、切れ込み部１２の先端１２'と切断誘導線１１の始点１１'を不連続とすると共に、更に、その不連続な領域内において線状切り抜き部１３を形成している。
【００１２】
線状切り抜き部１３は上シール部７'を表裏に貫通する線状の切り抜きであり、一方端が、切断誘導線１１の始点１１'と連続した位置にあり、他方端が、切れ込み部１２の先端１２'と切断誘導線１１の始点１１'とを結ぶ仮想ライン上であってしかも切れ込み部１２の先端１２'とは近接するが連続しない位置にあるものである。
このように、切断誘導線１１と線状切り抜き部１３とを連続して形成しているが、切断誘導線１１は、その始点１１'から線状切り抜き部１３に加わる力の向きと異なる方向に延在していることが好ましく、例えば、図１〜３に示すような、内容物収容部８方向に膨らんだ円弧状や、Ｖ字状、コの字状等に形成するのが好ましい。このように線状切り抜き部１３に加わる力の方向と切断誘導線１１の延在方向とを異なる方向とすることにより、誤って切れ込み部１２から切れ込み部１２にまで切断されてしまった場合でも、更に力が加わらない限り、それ以上の切断を防止することができる。
【００１３】
線状切り抜き部１３の形状は、図２に示すような直線状や、図３に示すような内容物収容部８方向に膨らんだ円弧状やこれとは逆方向に膨らんだ円弧状等の曲線状、の何れでもあってよいが、線状切り抜き部１３に加わる力の方向と切断誘導線１１の延在方向とを異なる方向とする意味では、曲線状とするのが好ましい。
切れ込み部１２は、線状切り抜き部１３と同様に、上シール部７'を表裏に貫通するものであるが、その形状は特に制限はなく、図２に示すＶ字状、図３に示す直線状の他、Ｕ字状等も採ることができる。
【００１４】
切れ込み部１２の先端１２'と線状切り抜き部１３の切れ込み部１２側の先端１３'との直線距離は、上シール部７'を形成する可撓性の積層樹脂の切断強度等を勘案する必要があり、一概に決められないが、１〜３ｍｍが適当である。
線状切り抜き部１３の長さは、開封する際の切断を容易にするためには長い方が好ましいが、長すぎると線状切り抜き部が何かに引掛かって、そこから誤開封が発生する恐れがあるので、一概には決められないが、１〜３ｍｍが適当である。
【００１５】
図１〜３の例においては、上シール部７'において、切れ込み部の先端と切断誘導線の始点とを不連続に形成すると共に、その不連続領域に線状切抜き部を形成しているが、下シール部６'において、または、上シール部７'と下シール部６'との両方において同様に形成してもよい。
【００１６】
図１〜３の例においては、ノズル部１０を切断した際の注出口の開口を容易にするため、ノズル部１０を形成する可撓性の積層樹脂フィルム２、３の注出流路９に対応する部分に、エンボス加工部分１４を設けている。このエンボス加工部分１４は、凹状エンボス、凸状エンボスまたはそれらの組み合わせであり、その形状も図２、図３に示すようなキノコ形に限らず各種の形状があるが、このようなエンボス部分１４を跨って切断誘導線のみが設けられている場合には、切断し難い場合がある。しかし、本発明の詰替え用袋ではエンボス加工部分があっても、切れ込み部１２から意図的に力を加えると線状切抜き部１３まで切断され、線状切抜き部１３が切断誘導線１１における切断開始部となり、切断誘導線１１をスムーズに切断することができる。
【００１７】
切断誘導線１１は、炭酸レーザー等のレーザーを用い、出力、照射時間、照射回数等を調節して、ハーフカット線（半切れ線）として形成する。切れ込み部１２及び線状切り抜き部１３を形成する方法については、特に制限はなく、公知の方法の何れもが採用可能であるが、切断刃による形成の他、レーザーを用いる等の方法により表裏に貫通した切れ込み部１２及び線状切り抜き部１３を形成すればよい。
エンボス部分１４を形成する方法についても特に制限はなく、公知の方法の何れもが採用可能であるが、フィルム面にプレス加工を行う等のエンボス加工法により形成するのが、生産性の点から好ましい。
【００１８】
本発明の詰替え用袋の形状としては、特に制約はなく、三方シール形式、四方シール形式等のパウチが適当であるが、特にスタンディングパウチ形式の袋は、自立可能であるので、取り扱い易く、好ましい形式である。
【００１９】
詰替え用袋を形成するフィルムとしては、可撓性の単層樹脂フィルムを使用することも可能であり、積層樹脂フィルムが一般的に使用されるが、その素材としては、この種の目的に通常使用される素材のいずれもが使用可能であり、延伸ナイロンフィルム（ONy）、延伸ポリプロピレン（OPP）、無延伸ポリプロピレン（CPP）、直線状低密度ポリエチレン（LLDPE）、高密度ポリエチレン（HDPE）、低密度ポリエチレン（LDPE）、ポリエチレンテレフタレート (PET)、金属蒸着ポリエチレンテレフタレート (VM-PET)等を例示することができる。また、バリヤー性を持たせるために、アルミニウム等の金属フィルムを、上記の樹脂フィルムと共に使用してもよい。
【００２０】
積層樹脂フィルムの層構成も、この種の目的に通常使用される構成のいずれもが採用可能であるが、好ましい層構成としては、外層側より、ONy、PET等からなる基材層と、CPP、LLDPE、 LDPE等からなるシーラント層とを積層した構成及び、それらの基材層とシーラント層との間に、更にOPP、HDPE、VM-PET、金属フィルム等を積層した構成を例示することができる。
【００２１】
詰替え用袋１の一部に設けるノズル部１０の位置は、詰替え用袋１の上縁角部（図１の態様）でも、上縁中央部であってもよい。また、ノズル部の形状も種々の形状を採用でき、その向きも、設ける位置により、上方向、斜め上方向、横方向のいずれかを選択し得る。
図１に示した形状、即ち、サイドシール部６の上部から内側に向かう傾斜部に連続し凹型円弧状に上方に延びるシール部と、トップシール部７より内側に窪む凹型屈曲部を介して斜め上方に延びるシール部とから形成されたノズルの形状は、詰め替えの際の取り扱い性に優れた、特に好ましい形状である。
【産業上の利用可能性】
【００２２】
本発明の詰替え用袋は、洗浄剤、界面活性剤、化粧品、食品等の、液体、粒体、粉粒体を収納するための袋として利用し、内容物の移し換えを行うために用いる。
【図面の簡単な説明】
【００２３】
【図１】内容物を収納した状態における本発明の詰替え用袋の１実施例を示す正面図である。
【図２】本発明の詰替え用袋の１実施例のノズル部を拡大して示す正面図である。
【図３】本発明の詰替え用袋の他の実施例のノズル部を拡大して示す正面図である。
【符号の説明】
【００２４】
１：詰替え用袋
２、３：胴部フィルム
４：底部フィルム
５：ボトムシール部
６：サイドシール部
６'：下シール部
７：トップシール部
７'：上シール部
８：内容物収容部
９：注出流路
１０：ノズル部
１１：切断誘導線
１１'：切断誘導線の始点
１２：切れ込み部
１２'：切れ込み部の先端
１３：線状切抜き部
１３'：線状切抜き部の先端
１４：エンボス加工部分
【図１】
2008150073.tif 000003
【図２】
2008150073.tif 000004
【図３】
2008150073.tif 000005